(57)【要約】      （修正有）【課題】アクチュエータにおける誘導ＥＭＦを効果的に補償し、それによってアクチュエータの整定時間を短縮することができるアクチュエータ制御回路及び方法を提供する。【解決手段】この方法及び装置は、誘導電圧に従ってフィードバック信号を生成し、フィードバック信号のゲインを選択的に調整するための様々な信号処理機能を更に生成するための様々な回路及び／又はシステムを含む。所定の周波数範囲外にあるフィードバック信号の一部を減衰させるように、かつフィードバック信号のゲインを調整するように、構成されたフィードバック制御回路２２０を含む。【選択図】図６
2020005492.tif 000002
【特許請求の範囲】
【請求項１】
アクチュエータ制御回路であって、
前記アクチュエータに連結され、前記アクチュエータに駆動信号を供給するように構成された駆動回路と、
前記駆動回路に接続され、フィードバック信号を生成するように構成されたフィードバックネットワークであって、前記フィードバックネットワークは、
前記駆動回路の出力端子に接続された誘導電圧検出回路と、
フィードバック制御回路であって、
所定の周波数範囲外にある前記フィードバック信号の一部を減衰させるように、かつ
前記フィードバック信号のゲインを調整するように、構成されたフィードバック制御回路と、を含む、フィードバックネットワークと、を含むことを特徴とする、アクチュエータ制御回路。
【請求項２】
前記フィードバック制御回路が、
バンドパスフィルタと、
前記バンドパスフィルタの出力端子に接続されたゲイン制御回路であって、
カウンタ値に従って前記フィードバック信号の前記ゲインを調整するように構成された増幅器と、
前記バンドパスフィルタと前記増幅器の入力端子との間に接続された第１のスイッチであって、前記第１のスイッチは、前記カウンタ値に従って動作される、第１のスイッチと、
前記増幅器の出力端子に接続された第２のスイッチであって、前記第２のスイッチは、前記カウンタ値に従って動作される、第２のスイッチと、を含む、ゲイン制御回路と、を含むことを特徴とする、請求項１に記載のアクチュエータ制御回路。
【請求項３】
前記フィードバック制御回路が、
第１のカウント期間の前記フィードバック信号の前記ゲインを減少させるように、かつ
第２のカウント期間の前記フィードバック信号の前記ゲインを増加させるように、更に構成されていることを特徴とする、請求項１に記載のアクチュエータ制御回路。
【請求項４】
前記アクチュエータ制御回路が、前記第１のカウント期間と前記第２のカウント期間との間の期間に、前記フィードバック制御回路を無効化するように、更に構成されていることを特徴とする、請求項３に記載のアクチュエータ制御回路。
【請求項５】
アクチュエータを制御するための方法であって、
駆動信号を前記アクチュエータに供給することと、
前記アクチュエータによって生成された誘導電圧を検出することと、
前記検出された誘導電圧に従ってフィードバック信号を生成することと、
前記フィードバック信号の一部分を減衰させることと、
前記フィードバック信号のゲインを調整することと、
前記フィードバック信号に従って前記アクチュエータを動作させることと、を含むことを特徴とする、アクチュエータを制御するための方法。
【請求項６】
前記ゲインを調整することが、
第１のカウント期間中に前記ゲインを減少させることと、
第２のカウント期間中に前記ゲインを増加させることと、を含むことを特徴とする、請求項５に記載のアクチュエータを制御するための方法。
【請求項７】
前記第１のカウント期間と前記第２のカウント期間との間の期間に、前記フィードバック信号を無効化することを含むことを更に特徴とする、請求項６に記載のアクチュエータを制御するための方法。
【発明の詳細な説明】
【技術分野】
【０００１】
本発明は、アクチュエータを制御するためのアクチュエータ制御回路及び方法に関する。
【背景技術】
【０００２】
携帯電話、カメラ及びコンピュータなどの電子デバイスは、一般に、レンズモジュールを画像センサと共に使用して画像をキャプチャする。多くの撮像システムは、画像センサに対するレンズの位置を調整することによって画像品質を改善するために、様々な制御及び／又はオートフォーカス方法並びに様々な信号処理技術を採用している。
【０００３】
位置制御及び／又はオートフォーカスシステムは、概して、レンズを最適な位置又は他の所望の位置に移動させて画像品質を高めるよう、アクチュエータと共に動作する。リニアアクチュエータなど、多くの電子デバイスは、オートフォーカスを容易にするため、かつ／又はレンズを位置付けるために低ノイズの直線運動を利用する。しかしながら、リニアアクチュエータの機械的特性により、アクチュエータの整定時間は、アクチュエータによって誘導される電圧（誘導起電力（ＥＭＦ））に起因して、所望よりも大きくなり得る。
【発明の概要】
【０００４】
本発明は、アクチュエータを制御するためのアクチュエータ制御回路及び方法に関する。
【０００５】
本発明によって解決される技術的問題は、従来のアクチュエータ制御回路が、アクチュエータにおける誘導ＥＭＦを効果的に補償することができず、結果としてアクチュエータの望ましくない整定時間がもたらされることである。
【０００６】
一態様では、アクチュエータ制御回路は、アクチュエータに連結され、駆動信号をアクチュエータに供給するように構成された駆動回路と、駆動回路に接続され、フィードバック信号を生成するように構成されたフィードバックネットワークと、を含み、フィードバックネットワークは、駆動回路の出力端子に接続された誘導電圧検出回路と、所定の周波数範囲外にあるフィードバック信号の一部を減衰させ、かつフィードバック信号のゲインを調整するように構成されたフィードバック制御回路と、を含む。
【０００７】
一実施形態では、フィードバック制御回路は、バンドパスフィルタと、ゲイン制御回路であって、バンドパスフィルタの出力端子に接続され、かつカウンタ値に従ってフィードバック信号のゲインを調整するように構成された増幅器と、バンドパスフィルタと増幅器の入力端子との間に接続された第１のスイッチであって、カウンタ値に従って動作される第１のスイッチと、増幅器の出力端子に接続された第２のスイッチであって、カウンタ値に従って動作される第２のスイッチと、を含む、ゲイン制御回路と、を含む。
【０００８】
一実施形態では、フィードバック制御回路は、第１のカウント期間のフィードバック信号のゲインを減少させ、かつ第２のカウント期間のフィードバック信号のゲインを増加させるように更に構成される。
【０００９】
一実施形態では、アクチュエータ制御回路は、第１のカウント期間と第２のカウント期間との間の期間に、フィードバック制御回路を無効化するように更に構成される。
【００１０】
別の態様では、アクチュエータを制御するための方法は、駆動信号をアクチュエータに供給することと、アクチュエータによって生成された誘導電圧を検出することと、検出された誘導電圧に従ってフィードバック信号を生成することと、フィードバック信号の一部分を減衰させることと、フィードバック信号のゲインを調整することと、フィードバック信号に従ってアクチュエータを動作させることと、を含む。
【００１１】
一動作では、ゲインを調整することは、第１のカウント期間中にゲインを減少させることと、第２のカウント期間中にゲインを増加させることと、を含む。
【００１２】
一動作では、この方法は、第１のカウント期間と第２のカウント期間との間の期間に、フィードバック信号を無効化することを更に含む。
【００１３】
本発明によって成し遂げられる技術的効果は、アクチュエータにおける誘導ＥＭＦを効果的に補償することができる制御回路を提供し、それによってアクチュエータの整定時間を軽減している。
【図面の簡単な説明】
【００１４】
本技術のより完全な理解は、以下の例示的な図と関連して考慮される場合、詳細な説明を参照することによって導出され得る。
【００１５】
【図１】本技術の例示的な実施形態による撮像システムのブロック図である。
【００１６】
【図２】本技術の第１の実施形態によるアクチュエータ制御システムのブロック図である。
【００１７】
【図３】本技術の第１の実施形態による誘導電圧検出回路のブロック図である。
【００１８】
【図４】本技術の第２の実施形態によるアクチュエータ制御システムのブロック図である。
【００１９】
【図５】本技術の第２の実施形態による誘導電圧検出回路のブロック図である。
【００２０】
【図６】本技術の例示的な実施形態によるフィードバック制御回路のブロック図である。
【００２１】
【図７】従来のアクチュエータ制御システムの電流波形及びレンズ変位波形を示すグラフである。
【００２２】
【図８】本技術の例示的な実施形態による電流波形及びレンズ変位波形を示すグラフである。
【００２３】
【図９】本技術の一実施形態によるアクチュエータ制御システムを操作するためのフローチャートである。
【００２４】
【図１０】本技術の例示的な実施形態によるフィードバック制御回路を操作するためのフローチャートである。
【００２５】
【図１１】本技術の例示的な実施形態によるフィードバック制御回路を操作するための制御シーケンスチャートである。
【発明を実施するための形態】
【００２６】
本技術は、機能ブロック構成要素及び様々な処理工程に関して説明され得る。このような機能ブロックは、特定の機能を実行し、様々な結果を達成するように構成された任意の数の構成要素によって実現され得る。例えば、本技術は、様々な機能を実行し得る、様々なアクチュエータ、センサ、レンズ、トランジスタ及びコンデンサのような半導体デバイスなどを採用することができる。加えて、本技術は、自動車、航空宇宙、医療、科学、監視、及び家電などの任意の数のシステムと共に実施することができ、説明されるシステムは、この技術のための例示的な用途に過ぎない。更に、本技術は、画像データのキャプチャ、画像データのサンプリング、画像データの処理などの任意の数の従来技術を採用することができる。
【００２７】
本技術の様々な態様によるアクチュエータ制御のための方法及び装置は、撮像システム、「スマートデバイス」、ウェアラブル、家電などの任意の好適な電子システムと共に動作し得る。図１を参照すると、例示的な撮像システム１００は、デジタルカメラ、スマートフォン又はポータブルコンピューティングデバイスなどの電子デバイスに組み込まれていてもよい。例えば、様々な実施形態では、撮像システム１００は、カメラモジュール１０５及び画像信号プロセッサ（ＩＳＰ）１３０を含んでもよい。
【００２８】
カメラモジュール１０５は、画像データをキャプチャし、オートフォーカス及び／又は光学画像安定化などの様々な動作機能を実行し得る。例えば、カメラモジュール１０５は、画像センサ１２５と、画像センサ１２５に隣接して位置付けられたレンズモジュール１１５と、制御回路１２０と、を含んでもよい。制御回路１２０及びレンズモジュール１１５は、互いに通信し、一緒に動作して、レンズモジュール１１５の位置を調製するよう、かつ／又は物体若しくはシーンを画像センサ１２５の焦点に自動的に合わせるように構成されてもよい。
【００２９】
画像センサ１２５は、画像データをキャプチャするように好適に構成されてもよい。例えば、画像センサ１２５は、光を検出し、（物体を通過又は反射するときの）光波の可変減衰を電気信号に変換することによって、光を検出し、画像を構成する情報を伝達するための画素アレイ（図示せず）を含み得る。画素アレイは、行及び列に配置された複数の画素を含んでもよく、画素アレイは、任意の数の行及び列、例えば数百又は数千の行及び列を含んでもよい。それぞれの画素は、光を検出し、検出された光を電荷に変換するために、フォトゲート、フォトダイオードなどの任意の好適なフォトセンサを含んでもよい。画像センサ１２５は、相補型金属酸化膜半導体（ＣＭＯＳ）及び電荷結合素子内のアクティブ画素センサなどの任意の適切な技術と組み合わせて実装されてもよい。
【００３０】
レンズモジュール１１５は、画像センサ１２５の感知面上で集光するように構成されてもよい。例えば、レンズモジュール１１５は、画像センサ１２５の感知面に隣接して配置された固定直径を有するレンズ１３５を含んでもよい。レンズモジュール１１５は、アクチュエータ１１０、例えば、制御回路１２０に応答して、ｘ軸、ｙ軸及びｚ軸のうちのいずれか１つに沿ってレンズ１３５を移動させるように構成されたボイスコイルモータ（ＶＣＭ）などのリニア共振アクチュエータを更に含んでもよい。
【００３１】
様々な実施形態では、撮像システム１００は、レンズ１３５を再配置するため、かつ／又はオートフォーカス機能を実行するため、レンズ１３５を固定するレンズモジュール１１５の部分を移動させるように構成される。例えば、レンズモジュール１１５は、静止部分（図示せず）に対して移動する入れ子式部分（図示せず）を含んでもよい。様々な実施形態では、入れ子式部分は、レンズ１３５を固定してもよい。そういうものとして、アクチュエータ１１０は、入れ子式部分を移動させることで、レンズ１３５を画像センサ１２５から遠ざけるか又はそれに近づけて、物体又はシーンを画像センサ１２５の焦点に合わせすることができる。様々な実施形態では、画像センサ１２５は、静止部分に固定されてもよく、又は静止部分から一定の距離で配置されてもよい。
【００３２】
様々な実施形態では、ＩＳＰ１３０は、色補間、色補正、オートフォーカスの促進、露光調整、ノイズ低減、ホワイトバランス調整、圧縮などの様々なデジタル信号処理機能を実行して、出力画像を生成し得る。ＩＳＰ１３０は、計算を実行し、画像画素データを送受信するためのトランジスタ、コンデンサなどの任意の数の半導体デバイスと、画素データを記憶するためのランダムアクセスメモリ、不揮発性メモリ又は特定の用途に好適な任意の他のメモリデバイスなどの記憶ユニットと、を含んでもよい。様々な実施形態では、ＩＳＰ１３０は、プログラム可能な論理デバイス、例えば、フィールドプログラマブルゲートアレイ（ＦＰＧＡ）、又は再構成可能なデジタル回路を有する任意の他のデバイスなどのプログラム可能な論理デバイスを用いて実装され得る。他の実施形態では、ＩＳＰ１３０は、非プログラマブルデバイスを使用してハードウェアに実装されてもよい。ＩＳＰ１３０は、任意の好適な相補型金属酸化物半導体（ＣＭＯＳ）技術又は製造プロセスを使用して、ＡＳＩＣ（特定用途向け集積回路）では、プロセッサ及びメモリシステムを使用して、又は別の好適な実装を使用して、シリコン内の集積回路内に部分的又は全体的に形成され得る。
【００３３】
様々な実施形態によれば、ＩＳＰ１３０は、画像センサ１２５から受信した画素データに従って初期位置信号Ｔ１を生成するように更に構成される。例えば、ＩＳＰ１３０は、画素データに基づいて、レンズモジュール１１５の焦点の程度を決定するように装備されてもよい。次いで、ＩＳＰ１３０は、最も高い焦点度を提供する位置を決定し得る。初期位置信号Ｔ１は、最も高い焦点度を提供する位置を表す。ＩＳＰ１３０は、初期位置信号Ｔ１を制御回路１２０に送信するように構成されてもよい。
【００３４】
ＩＳＰ１３０は、画像データを記憶及び／又は閲覧するために、表示画面又はメモリ構成要素などの出力デバイスに出力画像を送信し得る。出力デバイスは、ＩＳＰ１３０からビデオデータ、画像データ、フレームデータ及び／又はゲイン情報などのデジタル画像データを受信し得る。様々な実施形態では、出力デバイスは、コンピュータディスプレイ、メモリカード又は何らかの他の外部ユニットなどの外部デバイスを含んでもよい。
【００３５】
制御回路１２０は、システム内の様々なデバイスに対する電力を制御し、供給する。例えば、制御回路１２０は、アクチュエータ１１０を所望の位置に移動させるために、レンズモジュール１１５に対する電力を制御し、供給し得る。制御回路１２０は、ＩＳＰ１３０、画像センサ１２５、及び／又は他のシステムと共に動作して、アクチュエータ１１０に供給する適切な量の電力及び／又は電流を決定し得る。制御回路１２０は、特定の大きさ及び方向を有する電流ＩＤＲを生成し、アクチュエータ１１０に供給してもよく、次いで、レンズ１３５を移動させる。制御回路１２０は、アクチュエータ１１０にエネルギーを供給することができる任意の好適なデバイス及び／又はシステムを含んでもよい。
【００３６】
概して、アクチュエータ１１０は、制御回路１２０によって供給される電流ＩＤＲに比例する量でレンズ１３５を移動させることによって、電流ＩＤＲに応答する。例示的な実施形態によれば、アクチュエータ１１０は、ボイスコイルモータを含んでもよい。動作中、アクチュエータ１１０は、起因する変化に対抗する自己誘導電圧（逆ＥＭＦ）を生成し得、電流ＩＤＲの変化率が速いほど、逆ＥＭＦは大きくなる。結果として、アクチュエータ１１０は、所望の時間内にターゲット位置に到達し得ない。
【００３７】
制御回路１２０は、フィードバック信号を生成するように適合された様々な回路及び／又はシステムを含んでもよく、最終位置信号Ｃ’を生成し、最終位置信号Ｃ’に従って電流ＩＤＲを生成することによって応答し、電流ＩＤＲをアクチュエータ１１０に供給し、次いで、アクチュエータ１１０（及びレンズ１３５）を対応する位置に移動させる。例えば、制御回路１２０は、ドライバ２５０、フィードバックネットワーク及び加算回路２６５を含んでもよい。
【００３８】
例示的な実施形態によれば、ドライバ２５０（すなわち、駆動回路）は、アクチュエータ１１０を駆動し、レンズ１３５の所望の位置への移動を容易にする。例えば、ドライバ２５０は、駆動信号（すなわち、電流ＩＤＲ）を生成することによって、ＤＡＣ出力信号Ｃを受信して応答し得る。ドライバ２５０は、アクチュエータ１１０への電流ＩＤＲを制御することによって、最終位置信号Ｃ’に対応する所望の位置を達成するためにレンズ１３５の移動を容易にし得、次いで、レンズ１３５の移動の大きさ及び方向を制御する（図１）。例えば、ドライバ２５０は、駆動信号をアクチュエータ１１０に印加してもよく、駆動信号は最終位置信号Ｃ’に対応する。ドライバ２５０は、入力信号に応答して所望の電流出力を維持するために、回路全体にわたる電圧を変化させるための任意の好適な回路を含んでもよい。
【００３９】
一実施形態では、図２を参照すると、ドライバ２５０は、アクチュエータ１１０を第１の方向又は反対の第２の方向のいずれかに動作させるように、アクチュエータ１１０に連結されてもよい。例えば、ドライバ２５０は、第１の出力端子ＯＵＴ１及び第２の出力端子ＯＵＴ２の両方を介して電流ＩＤＲを生成してもよく、電流ＩＤＲは、第１の出力端子ＯＵＴ１から第２の出力端子ＯＵＴ２（すなわち、順方向）に流れてもよく、又は電流ＩＤＲは、第２の出力端子ＯＵＴ２から第１の出力端子ＯＵＴ１（すなわち、逆方向）に流れてもよい。電流ＩＤＲの方向は、最終ターゲット位置信号Ｃ’の符号及び大きさに基づいてもよい。
【００４０】
動作中、誘導電圧は、第１の出力端子ＯＵＴ１又は第２の出力端子ＯＵＴ２のいずれかに現れる。例えば、図２を参照すると、電流ＩＤＲが第２の出力端子ＯＵＴ２から第１の出力端子ＯＵＴ１に流れているとき、誘導電圧は第１の出力端子ＯＵＴ１に現れる。あるいは、電流ＩＤＲが第１の出力端子ＯＵＴ１から第２の出力端子ＯＵＴ２に流れているとき（図示せず）、誘導電圧は、第２の出力端子ＯＵＴ２に現れる。
【００４１】
代替的な実施形態では、図４を参照すると、電流ＩＤＲは一方向のみに流れる。本実施形態では、ドライバ２５０は、１つの出力端子ＯＵＴのみを含み得る。
【００４２】
制御回路１２０は、所望のアクチュエータ位置に対応する最終位置信号Ｃ’を生成するために、ＩＳＰ１３０からのデータを利用するための様々な回路及び／又はシステムを更に含んでもよい。例えば、制御回路１２０は、ＩＳＰ１３０と通信し、初期位置信号Ｔ１などの位置情報を記憶するように構成された、ターゲットレジスタ２４０を含んでもよい。ターゲットレジスタ２４０は、任意の所与の時間に複数の変数を記憶することができる任意の好適なメモリ又は記憶装置を含んでもよい。
【００４３】
制御回路１２０は、レンズ１３５のターゲット位置に対応する更新位置信号Ｔ２を生成するように構成されたターゲット発生器を更に含んでもよい。ターゲット発生器２３５は、ターゲットレジスタ２４０内に記憶されたデータにアクセスして、比較を実行する、かつ／又は更新された位置信号Ｔ２を生成するように構成されてもよい。例えば、ターゲット発生器２３５は、ターゲットレジスタ２４０に接続されてもよい。様々な実施形態によれば、ターゲット発生器２３５は、米国特許第９，５２０，８２３号に記載されている信号発生器を含んでもよい。
【００４４】
図２〜６を参照すると、制御回路１２０は、アクチュエータ１１０（及びレンズ１３５）が所望の位置に到達する時間の長さを減少させるために、様々なフィードバック回路及び／又はネットワークを含んでもよい。一般に、制御回路１２０が所望の位置を決定し、アクチュエータ１１０に電流ＩＤＲを印加すると、アクチュエータ１１０（及びレンズ１３５）は、所望の位置に整定する前に一定時間振動する。この時間は、整定時間と称されてもよい。制御回路１２０は、フィードバック制御システム及び／又は信号を利用して、整定時間を減少させ得る。例えば、フィードバックネットワークは、誘導電圧検出回路２０５（Ａ／Ｂ）と、フィードバック信号を生成するために一緒に動作するフィードバック制御回路２２０と、を含んでもよい。
【００４５】
図２〜図５を参照すると、誘導電圧検出回路２０５（Ａ／Ｂ）は、アクチュエータ１１０によって生成された誘導電圧を検出し、誘導電圧信号Ｄを生成するように構成されてもよい。一実施形態では、図２及び図３を参照すると、誘導電圧検出回路２０５（Ａ）は、双方向アクチュエータシステム内の第１及び第２の出力端子ＯＵＴ１、ＯＵＴ２の両方に接続され得る。
【００４６】
一方向アクチュエータシステムでは、図４及び図５を参照すると、誘導電圧検出回路２０５（Ｂ）は、単一の出力端子ＯＵＴに連結され得る。様々な実施形態では、誘導電圧検出回路２０５（Ａ／Ｂ）は、ＤＡＣ出力信号Ｃ及び／又は加算器出力Ｃ’（最終位置信号Ｃ’とも称される）を受信するように更に通信可能に連結されてもよい。様々な実施形態では、誘導電圧検出回路２０５（Ａ／Ｂ）は、出力電圧レプリカ回路３０５及び差動増幅器３１０を含んでもよい。
【００４７】
一実施形態では、図３を参照すると、誘導電圧検出回路２０５（Ａ）は、スイッチ３００を更に含んでもよい。スイッチ３００は、アクチュエータ１１０を通る電流ＩＤＲの方向を表す制御信号に従って、２つの入力のうちの１つを差動増幅器３１０に選択的に接続するように構成されてもよい。
【００４８】
スイッチ３００は、第１及び第２の出力端子ＯＵＴ１、ＯＵＴ２に接続されてもよく、第１の出力端子ＯＵＴ１における信号は、第１の信号Ａと称されてもよく、第２の出力端子ＯＵＴ２における信号は、第２の信号Ｂと称されてもよい。スイッチ３００は、制御信号に従って第１の信号Ａ又は第２の信号Ｂのうちの１つを差動増幅器３１０に選択的に連結するように構成されてもよい。例えば、図３を参照すると、スイッチ３００が正の符号（＋）を有する制御信号を受信した場合、スイッチ３００は、第２の出力端子ＯＵＴ２（第２の信号Ｂ）を差動増幅器３１０に連結することができ、スイッチ３００が負の符号（−）を有する制御信号を受信した場合、スイッチ３００は、第１の出力端子ＯＵＴ１（第１の信号Ａ）を差動増幅器３１０に結合し得る。スイッチ３００は、従来のアナログスイッチ、マルチプレクサ、トランジスタ、ゲーテッドラッチ回路など、制御信号に従って様々な入力のうちの１つを選択する任意の好適な回路及び／又はシステムを含んでもよい。
【００４９】
別の実施形態では、図５を参照すると、第１の信号Ａは差動増幅器３１０に直接送信されてもよい。
【００５０】
出力電圧レプリカ回路３０５は、ＤＡＣ出力信号Ｃ及び／又は加算器出力（例えば、最終位置信号Ｃ’）などの信号を受信し、受信した信号を利用して、ドライバ２５０に印加された電圧を複製する電圧ＶＲＥＰ（レプリカ電圧）を生成するように構成される。
【００５１】
出力電圧レプリカ回路３０５は、差動増幅器３１０にレプリカ電圧ＶＲＥＰを送信するように更に構成される。出力電圧レプリカ回路３０５は、様々な入力信号に従って電圧を複製することができる任意の好適な回路及び／又はシステムを含んでもよい。例示的な実施形態によれば、レプリカ電圧ＶＲＥＰは、以下の等式に従って説明することができる：ＶＲＥＰ＝ＶＤＤ−ＩＤＲ＊Ｒ。式中、ＶＤＤは供給電圧であり、ＩＤＲはアクチュエータ１１０を通る電流であり、Ｒはアクチュエータ１１０の抵抗である。
【００５２】
差動増幅器３１０は、２つの入力信号（例えば、入力電圧）間の差を増幅するように構成されてもよい。一実施形態では、図３を参照すると、差動増幅器３１０は、反転端子（−）でスイッチ３００から第１の信号Ａ及び第２の信号Ｂのうちの１つ、及び非反転端子（＋）でレプリカ電圧ＶＲＥＰを受信し得る。代替実施形態では、図５を参照すると、差動増幅器３１０は、反転端子（−）で第１の信号Ａ、及び非反転端子（＋）でレプリカ電圧ＶＲＥＰを受信し得る。様々な実施形態によれば、反転端子（−）への信号入力は、以下の等式に従って説明される：Ａ／Ｂ＝ＶＤＤ−（ＩＤＲ＊Ｒ）＋／−Ｖｅ。式中、ＶＤＤは供給電圧であり、ＩＤＲはアクチュエータ１１０を通る電流であり、Ｒはアクチュエータの抵抗であり、Ｖｅは誘導電圧である。
【００５３】
差動増幅器３１０は、誘導電圧Ｖｅを表す差動出力信号（誘導電圧信号Ｄとも称される）を出力し得る。様々な実施形態では、差動増幅器３１０は、誘導電圧信号Ｄを信号変換器に送信し得る。例示的な実施形態では、誘導電圧信号Ｄは、以下の等式に従って説明される：Ｄ＝＋／−Ｖｅ。式中、Ｖｅは誘導電圧である。
【００５４】
制御回路１２０は、少なくとも１つの信号変換器、例えばアナログ・デジタル変換器（ＡＤＣ）２１５を更に含んでもよい。様々な実施形態では、ＡＤＣ２１５は、フィードバックネットワークの一部であってもよい。ＡＤＣ２１５は、アナログ信号を受信し、アナログ信号をデジタル信号に変換する。ＡＤＣ２１５は、任意の好適なシステム、デバイス又はＡＤＣアーキテクチャを含んでもよい。様々な実施形態では、ＡＤＣ２１５は、誘導電圧信号Ｄを受信してデジタル信号に変換するように構成された誘導電圧検出回路２０５（Ａ／Ｂ）の出力端子に接続される。ＡＤＣ２１５は、デジタル形式で誘導電圧信号Ｄを表す出力信号ＡＤＣＯＵＴをフィードバック制御回路２２０に送信し得る。
【００５５】
図６を参照すると、フィードバック制御回路２２０は、信号の所望の周波数を減衰させ、信号のゲインを選択的に調節し、かつ／又は最終フィードバック出力信号ＦＯＵＴを生成するように構成されてもよい。例示的な実施形態によれば、フィードバック制御回路２２０は、ＡＤＣ２１５の出力端子と加算回路２６５の入力端子との間に接続される。したがって、フィードバック制御回路２２０は、ＡＤＣ出力信号ＡＤＣＯＵＴを受信し、それに対する様々なフィルタリング及びゲイン制御を実行する。フィードバック制御回路２２０はまた、ターゲット発生器２３５に応答し得る。例えば、フィードバック制御回路２２０は、ターゲット発生器２３５から又はそこに関連する動作及び／若しくは位置情報を直接的又は間接的のいずれかで受信し得る。フィードバック制御回路２２０は、動作及び／又は位置情報に従って、信号のゲインを制御し、かつ／又はフィルタリング動作を実行し得る。
【００５６】
様々な実施形態によれば、フィードバック制御回路２２０は、特定の制御シーケンスに従って動作する。制御シーケンスは、ターゲット発生器２３５に従ってフィルタ、様々なスイッチ及び／又はゲインの動作を制御することにより、フィードバック制御回路２２０を有効化／無効化することができる。例えば、制御シーケンスは、ターゲット発生器２３５の動作状態（例えば、オン又はオフ）及び／又は他の関連情報に対応し得る。
【００５７】
様々な実施形態によれば、フィードバック制御回路２２０は、ターゲット発生器２３５に直接接続されるか、又は通信可能に接続されてもよく、フィードバック制御回路２２０は、動作状態及び／又は他の関連情報を示すターゲット発生器２３５から１つ以上の制御信号を受信し得る。
【００５８】
フィードバック制御回路２２０は、バンドパスフィルタ、ローパスフィルタ、ハイパスフィルタ、フィードバック補正フィルタなどの様々な信号フィルタリングを実行する任意の好適な回路及び／又はシステムを含んでもよい。特定のフィルタは、特定の用途及び／又は所望のフィルタリング能力に従って選択されてもよい。更に、フィードバック制御回路２２０は、所望のゲインを信号に選択的に適用するのに好適な任意の回路及び／又はシステムを含んでもよい。
【００５９】
例示的な実施形態では、図６を参照すると、フィードバック制御回路２２０は、所定の高周波数及び低周波数を除去し、中間周波数（高周波数と低周波数との間の周波数）が通過することを可能にするためのバンドパスフィルタ６００を含んでもよい。バンドパスフィルタ６００は、ＡＤＣ２１５に接続され、ＡＤＣ出力信号ＡＤＣＯＵＴを受信するように構成されてもよい。バンドパスフィルタ６００は、従来のバンドパスフィルタ又は特定の周波数を減衰させるのに好適な任意の他のフィルタを含んでもよい。バンドパスフィルタ６００は、関連するデータを一時的に記憶し、かつ／又は記憶されたデータの時間遅延デバイスとして動作するため、複数のレジスタを更に含んでもよい。
【００６０】
フィードバック制御回路２２０は、入力信号のゲインを選択的に制御及び／又は調整するように構成されたゲイン制御回路６０５を更に含んでもよい。例示的な実施形態では、ゲイン制御回路６０５は、バンドパスフィルタ６００の出力端子に接続されてもよい。したがって、ゲイン制御回路６０５は、バンドパスフィルタ６００からの出力信号を受信してゲインを適用し得る。
【００６１】
例示的な実施形態によれば、ゲイン制御回路６０５は、第１の制御信号に応答する第１のスイッチＳＷ１と、データを記憶するように構成されたレジスタ６１０と、入力信号（例えば、入力電圧）に可変ゲインを適用するように構成された増幅器６１５と、第２の制御信号に応答する第２のスイッチＳＷ２と、を含んでもよい。
【００６２】
第１のスイッチＳＷ１は、バンドパスフィルタ６００とレジスタ６１０との間に接続されてもよく、増幅器６１５は、レジスタ６１０と第２のスイッチＳＷ２との間に接続されてもよく、第２のスイッチＳＷ２は、増幅器６１５と加算回路２６５との間に接続されてもよい。したがって、最終フィードバック出力信号ＦＯＵＴは、増幅器６１５の出力電圧に対応する。
【００６３】
様々な実施形態において、制御回路１２０は、ターゲット発生器２３５から更新された位置信号Ｔ２を利用し、フィードバック制御回路２２０から最終フィードバック出力信号ＦＯＵＴを利用して、最終位置信号Ｃ’を生成する。例えば、制御回路は、加算回路２６５を利用して、更新された位置信号Ｔ２を最終フィードバック出力信号ＦＯＵＴに加算して、最終位置信号Ｃ’を計算することができる。様々な実施形態によれば、最終フィードバック信号ＦＯＵＴ及び更新された位置信号Ｔ２の両方を利用することにより、１つの位置から別の位置へ移動するときに、アクチュエータ１１０のより滑らかな動きをもたらす。
【００６４】
制御回路１２０は、信号をドライバ２５０に送信する前に、最終位置信号Ｃ’をＤＡＣ出力信号Ｃなどのアナログ信号に変換するために、デジタル・アナログ変換器（ＤＡＣ）２４５などの第２の信号変換器を更に含んでもよい。例えば、ＤＡＣ２４５の入力端子は、加算回路２６５の出力端子に接続されてもよい。ＤＡＣ出力信号Ｃは、正の値であっても負の値であってもよく、ＤＡＣ出力信号Ｃの符号及び特定の数値は、電流ＩＤＲ（又は電圧）の方向及び大きさのそれぞれに対応し得る。ＤＡＣ２４５は、ＤＡＣ出力信号Ｃをドライバ２５０に伝達することができ、ドライバ２５０は、例えば、ＤＡＣ出力信号Ｃの符号及び／又は大きさに従って動作することによって、ＤＡＣ出力信号Ｃに応答する。例えば、正の値は、電流ＩＤＲが第１の出力端子ＯＵＴ１から第２の出力端子ＯＵＴ２に流れるようにし得る。逆に、負の値は、電流ＩＤＲが第２の出力端子ＯＵＴ２から第１の出力端子ＯＵＴ１に流れるようにし得る。ＤＡＣ２４５は、ＤＡＣ出力信号Ｃの符号（正又は負）を誘導電圧検出回路２０５（Ａ／Ｂ）に更に伝達してもよい。様々な実施形態では、ＤＡＣ出力信号Ｃは、コード（例えば、ＤＡＣコード）を含む。ＤＡＣ出力信号Ｃは、電流、電圧、又はパルス幅変調に対応してもよい。
【００６５】
制御回路１２０は、制御回路１２０内の様々な構成要素を制御するように構成された処理回路（図示せず）を更に含んでもよい。処理回路は、様々な信号を受信し、制御シーケンスに従って様々な制御信号を送信し得る。処理回路は、バンドパスフィルタ６００、ゲイン制御回路６０５、ターゲット発生器２３５及びターゲットレジスタ２４０など、制御回路１２０内の様々な構成要素に直接接続されてもよく又は通信可能に接続されてもよい。例えば、処理回路は、増幅器６１５のゲインを制御するために、かつ／又はターゲット発生器２３５からの動作及び／若しくは位置情報に従ってバンドパスフィルタ６００の動作を制御するために、第１及び第２のスイッチＳＷ１、ＳＷ２を制御する信号を送信し得る。したがって、処理回路は、制御シーケンスに基づいてフィードバック制御回路２２０の動作を容易にし得る。処理回路は、ハードウェア、ソフトウェア又は組み合わせに実装されてもよい。例えば、処理回路は、所定の方法でデータを受信し、そのデータに従って出力を生成するように適合された様々な論理回路を含んでもよい。処理回路は、クロック信号（図示せず）に従ってカウンタ値を生成するカウンタ（図示せず）を更に含んでもよい。
【００６６】
動作中、アクチュエータ１１０は、ユーザによって誘導される外部振動に起因する振動、又は初期位置の変化に起因する振動を経験する場合があり、その両方が誘導電圧を発生させ得る。様々な実施形態によれば、アクチュエータ制御のための方法及び装置は、誘導電圧を検出及び／又は測定し、最終位置信号Ｃ’を調整して、誘導電圧の効果を補償する、ないしは別の方法で低減させることによって、アクチュエータ１１０の整定時間を低減するように動作する。アクチュエータ制御のための方法及び装置はまた、アクチュエータ１１０の誘導電圧を決定し、アクチュエータ１１０に送信される電流ＩＤＲを制御することによってフィードバック信号の完全性を改善することにより、アクチュエータ１１０の整定時間を低減するように動作してもよい。様々な実施形態によれば、特定の方法で電流ＩＤＲを制御することにより、アクチュエータ１１０は、１つの位置から異なる位置へと円滑に移行することを可能にする。これにより、アクチュエータ１１０は、短時間で所望の位置に到達することができる。様々な実施形態によれば、電流ＩＤＲは、最終フィードバック制御信号ＦＯＵＴ及び更新された位置信号Ｔ２などの複数の変数に基づいて計算される。
【００６７】
この方法及び装置は、制御シーケンスに従って決定される適切な時間に、アクチュエータ１１０に進む電流ＩＤＲを停止させ、電流ＩＤＲを次第に減少させ、電流ＩＤＲを徐々に増加させるように更に動作してもよい。結果として、この方法及び装置は、既存の方法及び装置（図７）よりも短い時間でターゲット範囲８００内に収束するレンズ変位出力波形（図８）を生成し得る。
【００６８】
この方法及び装置は、最終位置信号Ｃ’が制御回路１２０の動作状態に従って変化するように、様々な周波数をフィルタリングし、可変ゲインをフィードバック信号に選択的に適用するための様々なデジタル信号処理機能を更に実装してもよい。
【００６９】
例示的な動作における図２、図６及び図８〜図１１を参照すると、外部振動又は初期位置信号Ｔ１の変化（９００）のいずれかに応答して、ドライバ出力信号（例えば、双方向システムの場合は信号Ａ及びＢ、又は一方向システムの場合は信号Ａ）は、ドライバ２５０の出力端子（すなわち、ＯＵＴ１及びＯＵＴ２）とアクチュエータ１１０との間に接続された伝送路を介して誘導電圧検出回路２０５（Ａ／Ｂ）に送信される（９０５）。制御回路１２０（及び／又は処理回路）はまた、電流ＩＤＲ（一般にコードの形態で）の方向（例えば、順方向又は逆方向）及びＤＡＣ出力信号Ｃを誘導電圧検出回路２０５（Ａ／Ｂ）に送信する（９１０）。
【００７０】
次いで、誘導電圧検出回路２０５（Ａ／Ｂ）は、誘導電圧信号Ｄを生成し、ＡＤＣ２１５に送信し得る（９１５）。ＡＤＣ２１５が信号を変換し、変換された信号をフィードバック制御回路２２０に送信した後、フィードバック制御回路２２０を制御シーケンスに従って動作させることができる。
【００７１】
制御シーケンスに従ってフィードバック制御回路２２０を動作させることは、変換された信号のフィルタリングを実行することと、特定の時間又はイベントにおいて変換された信号にゲインを適用することとを含んでもよい（９２０）。制御シーケンスに従ってフィードバック制御回路２２０を動作させることは、フィードバック制御回路２２０を特定の時間又はイベントで有効化及び無効化することを更に含んでもよい。
【００７２】
次いで、制御回路１２０は、ＤＡＣ出力信号Ｃに従って電流ＩＤＲを生成し、アクチュエータ１１０に印加する。フィードバック制御回路２２０が有効化される場合、フィードバック制御回路２２０は、最終フィードバック出力信号ＦＯＵＴを加算回路２６５に送信し、加算回路２６５は最終フィードバック出力信号ＦＯＵＴ及び更新された位置信号Ｔ２を加算して最終位置信号Ｃ’を生成する（９２２）。次いで、制御回路１２０は、最終位置信号Ｃ’をＤＡＣ２４５に送信する（９２５）。次いで、制御回路１２０は、ＤＡＣ出力信号Ｃに従って電流ＩＤＲを生成する。換言すれば、ドライバ２５０は、最終フィードバック出力信号ＦＯＵＴ及び更新された位置信号Ｔ２に従って、電流ＩＤＲを生成し、アクチュエータ１１０に印加する。
【００７３】
フィードバック制御回路２２０が無効化されている場合、加算回路２６５は最終フィードバック出力信号ＦＯＵＴを受信せず、ドライバ２５０は、更新された位置信号Ｔ２のみに対応する電流ＩＤＲを生成し、印加し得る。
【００７４】
制御回路１２０は、動作及び／又は制御シーケンスの状態に従って、フィードバック制御回路２２０を有効化／無効化し得る。例えば、制御回路１２０は、ターゲット発生器２３５が動作している（すなわち、オンである及び／又はカウンタ値０〜Ｎに対応している）かどうかを決定し得る（１０００）。ターゲット発生器２３５が動作している場合、ターゲット発生器２３５は動作し続け、新しい更新位置信号Ｔ２を生成し（１００５）、制御シーケンスを実行し（１０１０）、シーケンスが完了するまでカウンタの値（カウンタ値）をインクリメントする（１０１５）。
【００７５】
ターゲット発生器２３５が動作していない場合、制御回路１２０はカウンタ値を決定し得る（１０２０）。カウンタ値がゼロより大きい場合、制御回路１２０は、その特定の時間でカウンタ値に対応する制御シーケンスを実行し（１０１０）、シーケンスが完了するまでカウンタ値をインクリメントし得る（１０１５）。
【００７６】
カウンタ値がゼロ以下である場合（すなわち、カウンタ値がゼロに等しい）場合、制御回路１２０は、ターゲットレジスタ２４０が新しい初期位置値Ｔ１で更新されているかどうかを決定し得る（１０２５）。ターゲットレジスタ２４０が更新されていない場合、制御回路１２０は開始に戻る。ターゲットレジスタ２４０が更新されている場合、制御回路１２０は、新しいレジスタ値（例えば、新たな初期位置値Ｔ１）に従って新しい電流ＩＤＲを設定する。次いで、制御回路１２０は、カウンタ値ゼロに対応するシーケンスで始まる制御シーケンスを実行し（１０１０）、シーケンスが完了するまでカウンタ値をインクリメントする（１０１５）。
【００７７】
図１０を参照すると、制御回路１２０は、制御シーケンスを利用して、フィードバック制御回路２２０、例えば、バンドパスフィルタ６００及びゲイン制御回路６１５の制御（すなわち、有効化又は無効化）を容易にし得る。例えば、増幅器６１５は、カウンタ値、ターゲット発生器２３５の動作状態、及び／又はターゲットレジスタ２４０の状態に基づいて、特定のゲインを入力信号に適用し、カウンタ値に従って第１及び第２のスイッチＳＷ１、ＳＷ２を制御し得る。
【００７８】
制御シーケンスは、最終カウンタ値Ｍを含んでもよく、例えば最終カウンタ値は５〜１０の範囲であってもよい。加えて、カウンタが所定の値Ｎに達すると、ゲインはゼロ（カットオフ）に設定され、第１及び第２のスイッチＳＷ１、ＳＷ２の両方がオフ（開）にされる。所定の値Ｎは、０〜Ｍの任意の数、例えば１〜９であってよく、所望の最終フィードバック出力信号ＦＯＵＴ及び／又は所望の電流ＩＤＲに従って選択されてもよい。
【００７９】
例示的な実施形態では、カウンタ値０〜Ｎ−１に対応する制御シーケンスは、有効化シーケンスと称されてもよく、フィードバック制御回路２２０は、それらのシーケンス中に有効化される。本カウンタ値の間に、制御回路１２０は、増幅器６１５のゲインを約１／２〜１／８に漸増的に減少させる。漸進的な減少数は、１〜Ｎ−１のカウントの総数に基づき、１〜Ｎ−１のカウントの総数は、第１のカウント期間と称されてもよい。例えば、漸進的な減少数は、２〜５の範囲であってもよい。制御回路１２０は、通常の動作中、例えばカウンタ値０の間、又はデータを消去し、新しいデータを遅延レジスタ（図示せず）に入力する際のいずれかに、バンドパスフィルタ６００を動作させ得る。本カウンタ値の間、第１のスイッチＳＷ１はオフ（開）であり、第２のスイッチＳＷ２はオン（閉）である。
【００８０】
カウンタ値Ｎに対応する制御シーケンスは、無効化シーケンスと称されてもよく、フィードバック制御回路２２０は、そのシーケンスの間に無効化される。本カウンタ値の間、制御回路１２０は、増幅器６１５のゲインをカットオフし、第１及び第２のスイッチＳＷ１、ＳＷ２をオフにする。
【００８１】
同様に、カウンタ値Ｎ＋１〜Ｍに対応する制御シーケンスは、有効化シーケンスとも称され、フィードバック制御回路２２０は、それらのシーケンス中に有効化される。本カウンタ値の間、制御回路１２０は、増幅器６１５のゲインを約１／８〜１／２に漸進的に増加させる。漸進的な増加数は、Ｎ＋１〜Ｍのカウントの総数に基づき、Ｎ＋１〜Ｍからのカウントの総数は、第２のカウント期間と称されてもよい。例えば、漸進的な減少数は、２〜５の範囲であってもよい。制御回路１２０は、通常動作中にバンドパスフィルタ６００を動作させ得る。本カウンタ値の間、第１及び第２のスイッチＳＷ１、ＳＷ２の両方はオン（閉）である。
【００８２】
前述の説明において、本技術は、特定の例示的な実施形態を参照して説明されてきた。しかしながら、記載されている本技術の範囲から逸脱することなく、様々な修正及び変更を行うことができる。説明及び図面は、限定的ではなく、例示的に見なされるべきであり、そのような全ての修正は、本技術の範囲内に含まれることが意図される。したがって、技術の範囲は、単に上述の特定の実施例によるのではなく、記載されている一般的な実施形態及びそれらの法的等価物により、決定されるべきである。例えば、任意の方法又はプロセスの実施形態に記載される工程は、任意の適切な順序で実行されてもよく、特定の実施例で提示される明示的な順序に限定されない。更に、任意のシステムの実施形態に記載される構成要素及び／又は要素は、本技術と実質的に同じ結果を生成するために、様々な順列で組み合わされてもよく、したがって、特定の実施例に記載される特定の構成に限定されない。
【００８３】
特定の実施形態に関する利益、他の利点及び問題に対する解決策が上述されてきた。しかしながら、任意の利益、利点、問題に対する解決策、又は任意の特定の利益、利点、若しくは解決策を生じさせるか、又はより顕著にさせ得る任意の要素は、重要な、必要とされる又は必須の特徴若しくは構成要素として解釈されるべきではない。
【００８４】
用語「含む（comprises）」、「含む（comprising）」、又はそれらの任意の変形は、非排他的な包含に言及することを意図しており、そのため、要素のリストを含むプロセス、方法、物品、組成物又は装置は、記載された要素のみを含むのではなく、そのようなプロセス、方法、物品、組成物又は装置には明示的に列挙されておらず、それらに固有でもない他の要素も含み得る。具体的に記載されていないものに加えて、本技術の実施に使用される上述の構造、配置、用途、割合、要素、材料、又は構成要素の他の組み合わせ及び／又は修正は、同一の一般原則から逸脱することなく、変更されるか、ないしは別の方法で特定の環境、製造仕様、設計パラメータ又は他の動作要件に特に適合されてもよい。
【００８５】
本技術は、例示的な実施形態を参照して上述されてきた。しかしながら、本技術の範囲から逸脱することなく、例示的な実施形態に対する変更及び修正が行われてもよい。これら及び他の変更又は修正は、本技術の範囲内に含まれることが意図されている。
【００８６】
一態様によれば、アクチュエータ制御回路は、アクチュエータに連結され、駆動信号をアクチュエータに供給するように構成された駆動回路と、駆動回路に接続され、フィードバック信号を生成するように構成されたフィードバックネットワークと、を含み、フィードバックネットワークは、駆動回路の出力端子に接続された誘導電圧検出回路と、所定の周波数範囲外にあるフィードバック信号の一部を減衰させ、フィードバック信号のゲインを調整するフィードバック制御回路と、を含む。
【００８７】
一実施形態では、フィードバック制御回路は、バンドパスフィルタと、バンドパスフィルタの出力端子に接続されたゲイン制御回路と、を含む。
【００８８】
一実施形態では、ゲイン制御回路は、増幅器と、バンドパスフィルタと増幅器の入力端子との間に接続された第１のスイッチと、増幅器の出力端子に接続された第２のスイッチと、を含む。
【００８９】
一実施形態では、増幅器は、カウンタ値に従ってフィードバック信号のゲインを調整するように構成され、第１及び第２のスイッチはカウンタ値に従って動作される。
【００９０】
一実施形態では、フィードバック制御回路は、第１のカウント期間のフィードバック信号のゲインを減少させ、かつ第２のカウント期間のフィードバック信号のゲインを増加させるように更に構成される。
【００９１】
一実施形態では、アクチュエータ制御回路は、第１のカウント期間と第２のカウント期間との間の期間に、フィードバック制御回路を無効化するように更に構成される。
【００９２】
一実施形態では、フィードバックネットワークは、誘導電圧検出回路とフィードバック制御回路との間に接続され、フィードバック信号をデジタル信号に変換するように構成されたアナログ・デジタル変換器（ＡＤＣ）を更に含む。
【００９３】
一実施形態では、アクチュエータ制御回路は、駆動回路の入力端子及び誘導電圧検出回路の入力端子に接続されたデジタル・アナログ変換器（ＤＡＣ）を更に含む。
【００９４】
一実施形態では、誘導電圧検出回路は、ＤＡＣの出力端子に接続された複製回路と、レプリカ回路の出力端子に接続された差動増幅器と、を含む。
【００９５】
一実施形態では、誘導電圧検出回路は、駆動回路を通る電流の方向に関する情報を受信するように更に構成される。
【００９６】
別の態様によれば、アクチュエータを制御するための方法は、駆動信号をアクチュエータに供給することと、アクチュエータによって生成された誘導電圧を検出することと、検出された誘導電圧に従ってフィードバック信号を生成することと、フィードバック信号の一部分を減衰させることと、フィードバック信号のゲインを調整することと、フィードバック信号に従ってアクチュエータを動作させることと、を含む。
【００９７】
一動作では、本方法は、位置信号を受信することと、位置信号及びフィードバック信号に従ってアクチュエータを動作させることと、を更に含む。
【００９８】
一動作では、ゲインを調整することは、第１のカウント期間中にゲインを減少させることと、第２のカウント期間中にゲインを増加させることと、を含む。
【００９９】
一動作では、この方法は、第１のカウント期間と第２のカウント期間との間の期間に、フィードバック信号を無効化することを更に含む。
【０１００】
更に別の態様によれば、アクチュエータとのオートフォーカスを実行することができる撮像システムは、初期位置信号を生成するように構成された画像信号プロセッサ（ＩＳＰ）と、画像信号プロセッサに接続されたカメラモジュールであって、画像信号プロセッサに連結された画像センサであって、画像センサは、画像データを画像信号プロセッサに送信する、画像センサと、ＩＳＰに接続され、画像信号プロセッサから初期位置信号を受信するように構成された制御回路であって、制御回路は、アクチュエータに接続された駆動回路と、駆動回路に接続され、フィードバック信号を生成するように構成されたフィードバックネットワークであって、フィードバックネットワークは、駆動回路の出力端子に接続された誘導電圧検出回路と、誘導電圧検出回路に接続され、所定の周波数範囲外にあるフィードバック信号の一部を減衰させるよう、かつフィードバック信号のゲインを調整するように構成されたフィードバック制御回路と、を含む、フィードバックネットワークと、ＩＳＰに接続され、初期位置信号に従って更新された位置信号を生成するように構成されたターゲット発生器回路と、を含む、制御回路と、を含む、カメラモジュールと、を含み、制御回路は、フィードバック信号及び更新された位置信号に基づいて、アクチュエータに電流を供給する。
【０１０１】
一実施形態では、フィードバック制御回路は、バンドパスフィルタと、バンドパスフィルタの出力端子に接続されたゲイン制御回路と、を含む。
【０１０２】
一実施形態では、ゲイン制御回路は、増幅器と、バンドパスフィルタと増幅器の入力端子との間に接続された第１のスイッチと、増幅器の出力端子に接続された第２のスイッチと、を含む。
【０１０３】
一実施形態では、増幅器は、カウンタ値に従ってフィードバック信号のゲインを調整するように構成され、第１及び第２のスイッチはカウンタ値に従って動作される。
【０１０４】
一実施形態では、フィードバック制御回路は、第１のカウント期間のフィードバック信号のゲインを減少させ、かつ第２のカウント期間のフィードバック信号のゲインを増加させるように更に構成される。
【０１０５】
一実施形態では、アクチュエータ制御回路は、第１のカウント期間と第２のカウント期間との間の期間に、フィードバック制御回路を無効化するように更に構成される。
【図１】
2020005492.tif 000003
【図２】
2020005492.tif 000004
【図３】
2020005492.tif 000005
【図４】
2020005492.tif 000006
【図５】
2020005492.tif 000007
【図６】
2020005492.tif 000008
【図７】
2020005492.tif 000009
【図８】
2020005492.tif 000010
【図９】
2020005492.tif 000011
【図１０】
2020005492.tif 000012
【図１１】
2020005492.tif 000013
【外国語明細書】
2020005492000001.pdf
2020005492000002.pdf
2020005492000003.pdf
2020005492000004.pdf